(57)【要約】【課題】収納部（収納スペース）を分割したり、一体にしたりすることができるクーラーボックスを提供する。【解決手段】クーラーボックス１は、物品を収納する収納部１１を内側に有し、物品を収納部１１に出し入れする開口部１２を収納部１１の上端に有する発泡体製のボックス本体１０と、開口部１２を開閉する発泡体製の外蓋２０と、収納部１１の所定高さＨに取り付けられて、収納部１１を上段１１ａと下段１１ｂとに分割する内蓋３０とを備え、内蓋３０は、着脱自在な発泡体製の複数の仕切り３１によって構成されている。【選択図】図１１
2019218067.tif 000002
【特許請求の範囲】
【請求項１】
物品を収納する収納部を内側に有し、前記物品を前記収納部に出し入れする開口部を前記収納部の上端に有する発泡体製のボックス本体と、
前記開口部を開閉する発泡体製の外蓋と、
前記収納部の所定高さに取り付けられて、前記収納部を上段と下段とに分割する内蓋と、を備え、
前記内蓋は、着脱自在な発泡体製の複数の仕切りによって構成されている、
ことを特徴とするクーラーボックス。
【請求項２】
前記複数の仕切りは、上面に、横向きに置いた円筒状の缶類の不要な動きを規制するスリットを有する、
ことを特徴とする請求項１に記載のクーラーボックス。
【請求項３】
前記外蓋は、上面に、前記所定高さから取り外した前記複数の仕切りを保持する凹状保持部を有する、
ことを特徴とする請求項１又は２に記載のクーラーボックス。
【請求項４】
前記ボックス本体は、底部、左側部、及び右側部の外面に、肩に掛ける肩ベルトが係合する肩ベルト溝を有する、
ことを特徴とする請求項１ないし３のいずれか１項に記載のクーラーボックス。
【請求項５】
前記ボックス本体は、前側部及び後側部の外面のうちの少なくとも一方が、平面視において外側に向かって凹状の曲面に形成されている、
ことを特徴とする請求項１ないし４のいずれか１項に記載のクーラーボックス。
【発明の詳細な説明】
【技術分野】
【０００１】
本発明は、それぞれ発泡体製のボックス本体、外蓋、及び内蓋を備えたクーラーボックスに関する。
【背景技術】
【０００２】
特許文献１には、「考案の詳細な説明」に、以下の点が記載されている。
【０００３】
「この考案はホームパーティセット用包装容器に関し、更に詳述すれば、ホームパーティ用冷凍食品等を収納すると共に、これらを収納する容器本体を閉蓋すべき蓋体内に説明書、ナイフ、フォーク、装飾用品等の小物を収納すべきスペースを確保した断熱性包装容器を提供しようとしている。
【０００４】
従来、加工食品、精肉、魚介類等の冷凍食品を消費者が持ち帰るための包装容器としては、合成樹脂の発泡体からなるものが、断熱性、軽量性、廉価性等の点で優れているので、好適なものとされて広く用いられている。このような包装容器にスープ、メインディッシュ、デザート等の洋風フルコースの冷凍食品を蓄冷剤と共に収納したものは、消費者がこれを家庭へ持ち帰って家庭用冷凍庫に保存しておけば、いつでも気楽にホームパーティを開くことができ、またその使用後の包装容器はレジャー用クーラーボックスとして再利用できる等、その実用的価値は極めて高い。
【０００５】
このようなホームパーティセット用包装容器においては、前記洋風フルコース用冷凍食品を収納すべきスペースのほかに説明書、ナイフ、フォーク、装飾用品等の小物を収納すべきスペースを確保しておいた方が好都合である。
【０００６】
そこでこの考案においては、上記ホームパーティ用包装容器として、断熱性、軽量性、廉価性等の点で優れていると共に、冷凍食品の収納スペース以外に小物の収納スペースを確保したものを提供することが目的である。
【０００７】
そしてこの考案に係るホームパーティセット用包装容器は、合成樹脂の発泡体又はこれを主体として容器本体及び蓋体が形成され、該蓋体の裏面側に設けた凹所には、着脱自在な中蓋を嵌合させることによって蓋体内に収納用空隙が形成されるようになし、該中蓋には裏面側に把持用突出部が形成されてあり、更に容器本体に輪状の吊り下げ用紐帯が敷設され、該輪状の紐帯は、容器本体の相対向する側壁の縦中央部外側に夫々形成された紐帯通し孔及び紐帯掛止溝にて係止された上で容器本体の底面に掛け回されるように形成してあることを特徴としている。」
【先行技術文献】
【特許文献】
【０００８】
【特許文献１】実公昭６３−１３１８７号公報
【発明の概要】
【発明が解決しようとする課題】
【０００９】
しかしながら、上述のホームパーティセット用包装容器は、蓋体の裏面側に設けた凹所に着脱自在な中蓋を嵌合させることにより、蓋体内に冷凍食品の収納スペース以外に収納用空隙が形成される。すなわち、中蓋を嵌合させても、冷凍食品の収納スペースを分割することはできず、また、中蓋を取り外しても、収納スペースを一体化することができない、という問題があった。
【００１０】
本発明は、上述した事情に鑑みてなされたものであり、収納部（収納スペース）を分割したり、一体化したりすることができるクーラーボックスを提供することを目的とする。
【課題を解決するための手段】
【００１１】
上述の目的を達成するため、本発明は、クーラーボックスにおいて、物品を収納する収納部を内側に有し、物品を収納部に出し入れする開口部を収納部の上端に有する発泡体製のボックス本体と、開口部を開閉する発泡体製の外蓋と、収納部の所定高さに取り付けられて、収納部を上段と下段とに分割する内蓋と、を備え、内蓋は、着脱自在な発泡体製の複数の仕切りによって構成されている、ことを特徴とする。
【発明の効果】
【００１２】
本発明によれば、クーラーボックスは、その全体が発泡体製なので、全体を軽く仕上げることができる。また、収納部は、内蓋を構成する複数の仕切りが所定高さに取り付けられることにより、この仕切りを境として上段と下段とに分割されるので、クーラーボックスを種々の形態で使用することができる。
【００１３】
例えば、複数の仕切りを所定高さに取り付けることにより、収納部を上段と下段とに分けて、それぞれ異なるもの、例えば、外蓋を開けることで直ちにアクセスできる上段には、缶類の飲み物を収納し、下段には必要時以外は、アクセスが不要な肉類や野菜類等を収納することができる。
【００１４】
また、内蓋が複数の仕切りによって構成されているので、複数の仕切りのうちの何枚か（実施形態では、２枚の仕切りのうちの１枚）を所定高さから取り外すことにより、下段に収納した物品を簡単に取り出すことができる。
また、複数の仕切りをすべて所定高さから取り外すことにより、収納部全体を上段及び下段に分割することなく、一体化して使用することができる。
【図面の簡単な説明】
【００１５】
【図１】外蓋２０の上面の凹状保持部２１で仕切り３１を保持し、肩ベルト４０を取り付けた状態のクーラーボックス１の平面斜視図である。
【図２】同じく、クーラーボックス１の底面斜視図である。
【図３】外蓋２０の上面の凹状保持部２１で仕切り３１を保持し、肩ベルト４０を取り外した状態のクーラーボックス１の平面図である。
【図４】同じく、クーラーボックス１の底面図である。
【図５】同じく、クーラーボックス１の正面図である。
【図６】同じく、クーラーボックス１の右側面図である。
【図７】図３のＡ−Ａ線矢視図である。
【図８】図３のＢ−Ｂ線矢視図である。
【図９】仕切り３１を内蓋３０として使用し、肩ベルト４０を取り外した状態のクーラーボックス１の平面図である。
【図１０】図９のＡ−Ａ線矢視図である。
【図１１】図９のＢ−Ｂ線矢視図である。
【図１２】仕切り３１を内蓋３０として使用し、外蓋２０を取り外した状態のクーラーボックス１の平面図である。
【図１３】内蓋３０及び外蓋２０を取り外した状態のクーラーボックス１の平面図である。
【発明を実施するための形態】
【００１６】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図１３を参照して本発明を適用した実施形態１に係るクーラーボックス１について説明する。
【００１７】
ここで、図１は、外蓋２０の上面の凹状保持部２１で仕切り３１を保持し、肩ベルト４０を取り付けた状態のクーラーボックス１の平面斜視図であり、図２は、同じく底面斜視図である。また、図３は、外蓋２０の上面の凹状保持部２１で仕切り３１を保持し、肩ベルト４０を取り外した状態のクーラーボックス１の平面図であり、図４は、同じく底面図、図５は、同じく正面図、そして、図６は、同じく右側面図である。また、図７は、図３のＡ−Ａ線矢視図であり、図８は、図３のＢ−Ｂ線矢視図である。
なお、以下の説明では、図１〜図４中に矢印で示す上下前後左右が、クーラーボックス１の上下前後左右に対応するものとして説明する。
【００１８】
クーラーボックス１は、図１、図２に示すように、ボックス本体１０、外蓋２０、内蓋３０、及び肩ベルト４０を備えて構成されている。なお、上述の肩ベルト４０のないものも、クーラーボックス１というものとする。
【００１９】
ボックス本体１０は、図７、図８に示すように、物品（不図示）を収納する収納部１１を内側に有し、物品を収納部１１に出し入れする開口部１２を収納部１１の上端に有している。なお、本実施形態のクーラーボックス１は、収納部１１に対して、物品を収納するとともに、保冷剤（不図示）を入れることにより、クーラーボックスとして作用するものである。
【００２０】
収納部１１は、図４、図７、図８に示すように、前後左右の４個の側部１３、すなわち前側部１３ａ、後側部１３ｂ、左側部１３ｃ、右側部１３ｄ、及び底部１４で囲まれたほぼ直方体状の空間となっている。
【００２１】
ここで、図１３は、内蓋３０及び外蓋２０を取り外した（取り除いた）状態のクーラーボックス１の平面図である。つまり、図１３は、ボックス本体１０を上から見た図である。
【００２２】
収納部１１には、図７、図８、図１３に示すように、所定高さＨの複数の台座１５が形成されている。複数の台座１５は、４個の側部１３の中央及び両端から内側に突出するように形成されている。すなわち、複数の台座１５は、前側部１３ａ及び後側部１３ｂの左右方向の中央、また、左側部１３ｃ及び右側部１３ｄの前後方向の中央から内側に少し突出するように形成されている。さらに、複数の台座１５は、前側部１３ａ及び後側部１３ｂの左右方向の両端、また、左側部１３ｃ及び右側部１３ｄの前後方向の両端から内側に少し突出するように形成されている。これら複数の台座１５の上面１５ａは、所定高さＨとなっている。これら上面１５ａには、図１０、図１１に示すように、後述する仕切り３１が着脱自在に載せられる。収納部１１は、この所定高さＨに取り付けた仕切り３１によって、上段１１ａと下段１１ｂとに分割されている。
【００２３】
４個の側部１３の内面１３Ａのうち、下段１１ｂに対応する部分は、底部１４に対してほぼ垂直に形成され、また、上段１１ａに対応する部分は、上側ほど少し開いたテーパ状に形成されている。このようにテーパ状に形成することより、内蓋３０としての仕切り３１の着脱を容易にしている。また、このテーパ状の部分のうち、左側部１３ｃと右側部１３ｄの中央に対応する部分には、指ガイド１６が形成されている。この指ガイド１６は、テーパ状の部分をさらに削っていて、仕切り３１の着脱を、さらに容易にしている。なお、仕切り３１については、後に詳述する。
【００２４】
図８に示すように、４個の側部１３の外面１３Ｂのうち、左側部１３ｃ及び右側部１３ｄの外面１３Ｂには、肩ベルト溝１７が形成されている。また、底部１４の底面１４ａにも肩ベルト溝１７が形成されている。これら肩ベルト溝１７は、左側部１３ｃ、底部１４、及び右側部１３ｄのそれぞれの前後方向の中央に形成され、全体として「コ」字形に連続している。さらに、左側部１３ｃの肩ベルト溝１７及び右側部１３ｄの肩ベルト溝１７の上端に対応して、それぞれ肩ベルト孔１８が形成されている。
【００２５】
図４に示すように、４個の側部１３の外面１３Ｂのうち、前側部１３ａ及び後側部１３ｂの外面１３Ｂは、底面視（平面視）において、外側に向かって凹状の曲面に形成されている。つまり、前側部１３ａ及び後側部１３ｂは、外面１３Ｂの左右方向の中央が、内側に凹んでいる。このように、肩ベルト４０を肩に掛けたときに、クーラーボックス１の人に当たる外面１３Ｂが凹んでいるため、このクーラーボックス１を持ちやすくなっている。
【００２６】
さらに、図１３に示すように、前側部１３ａ及び後側部１３ｂの上端における左右方向の中央には、後に説明する外蓋２０を開ける際に指を入れる切り欠き１９が形成されている。
【００２７】
ここで、図９は、仕切り３１を内蓋３０として使用し、肩ベルト４０を取り外した状態のクーラーボックス１の平面図である。また、図１０は、図９のＡ−Ａ線矢視図であり、図１１は、図９のＢ−Ｂ線矢視図である。また、図１２は、仕切り３１を内蓋３０として使用し、外蓋２０を取り外した状態のクーラーボックス１の平面図である。
【００２８】
開口部１２は、収納部１１の上端、すなわち４個の側部１３の上端において、上方に向かって開口している。この開口部１２は、物品を収納部１１に出し入れするための出し入れ口として使用される。
以上、説明したボックス本体１０は、全体が発泡体、例えば発泡スチロールによって形成されている。
【００２９】
外蓋２０は、ボックス本体１０の開口部１２を開閉する。外蓋２０は、図７、図８に示すように、ボックス本体１０の開口部１２に上方から嵌り込むことにより、開口部１２を覆い、また、ボックス本体１０の切り欠き１９に指を入れることにより、開口部１２を開放することができる。外蓋２０は、上面に、収納部１１の所定高さＨから取り外した複数の仕切り３１を保持する凹状保持部２１を有している。凹状保持部２１は、周囲が額縁状に高くなり、この額縁状に高くなった部分は、複数の仕切り３１よりも少し浅く形成されている。凹状保持部２１は、ボックス本体１０の肩ベルト孔１８に対応する部分に切り欠き部２２を有していて、凹状保持部２１に対する仕切り３１の着脱を容易にしている。外蓋２０の前側の外周縁及び後側の外周縁は、上述のブロック本体１０の前側部１３ａ及び後側部１３ｂと同様、左右方向の中央が凹んでいる。
上述した外蓋２０は、発泡体、例えば発泡スチロールによって形成されている。
【００３０】
内蓋３０は、ボックス本体１０の収納部１１の所定高さＨに取り付けられて、収納部１１を上段１１ａと下段１１ｂとに分割する。本実施形態では、内蓋３０は、２枚の仕切り３１によって構成されている。これら仕切り３１は、所定高さＨから取り外されて外蓋２０の凹状保持部２１に取り付ける（嵌め込む）ことができる。仕切り３１は、左右方向の寸法が、凹状保持部２１の左右方向の寸法の２分の１であり、前後方向の寸法が、凹状保持部２１の前後方向の寸法と同じに設定されている。また、２枚の仕切り３１を、台座１５の上面１５ａに乗せたときに、この２枚の台座１５により、収納部１１の下段１１ｂをほぼ覆うようになって、内蓋３０として作用している。
【００３１】
このように、１枚の仕切り３１は、その前後方向の長さが、外蓋２０の凹状保持部２１の前後方向の寸法と同じに設定され、また、ボックス本体１０の前側部１３ａの内面１３Ａと後側部１３ｂの内面１３Ａ間の距離とほぼ等しくなっている。したがって、仕切り３１は、２枚ともが凹状保持部２１に嵌め込まれた場合、２枚ともが台座１５の上面１５ａに置かれて内蓋３０として使用される場、また、１枚が凹状保持部２１に嵌め込まれて他の１枚が台座１５の上面１５ａに置かれた場合のいずれも、ボックス本体１０が前後方向に縮められるのを防止する強度部材として作用する。
【００３２】
図８、図１１、図１２に示すように、仕切り３１には、指掛け部３２が形成されている。指掛け部３２は、左の仕切り３１には、左端縁の中央に、また、右の仕切り３１には、右端縁の中央に形成されている。指掛け部３２は、仕切り３１の厚さ方向（上下方向）を貫通する指入れ部３２ａと、指入れ部３２ａの厚さ方向の途中から内側に窪んだ指先入れ部３２ｂとにより、仕切り３１の厚さ方向の上側に凸部として形成されている。このように、仕切り３１の厚さ方向の上側を指掛け部（凸部）３２とし、下側を凹部に形成することができる。これにより、図１０、図１１に示すように、指先が仕切り３１の裏面側にまで至らなくても指先を指掛け部３２に引っかけることができるので、仕切り３１が図１１に示すように、所定高さＨに嵌っている場合でも、比較的簡単にこれを取り外すことができる。
【００３３】
仕切り３１は、上面に、横向きに置いた円筒状の缶類の不要な動きを規制するスリット３３を有している。本実施形態では、各仕切り３１は、それぞれ４個のスリット３３が形成されている。各スリット３３は、凹状に形成されていて、例えば、５００ミリリットルの円筒状の缶類を横向きに置いた際に、この缶類の外周面がスリット３３の両側のエッジ３３ａに当たるようになっている。これにより、この缶類の不要な動きを規制することができる。
上述した内蓋３０は、仕切り３１が発泡体、例えば発泡スチロールによって形成されている。
【００３４】
肩ベルト４０は、図１、図２に示すように、ボックス本体１０の底部１４、左側部１３ｃ、及び右側部１３ｄの外面に形成された肩ベルト溝１７に係合され、また、肩ベルト孔１８に通されている。肩ベルト４０は、このようにボックス本体１０を下方から支えるように配置されている。肩ベルト４０は、肩ベルト溝１７に「コ」字形に掛けられ、さらに肩ベルト孔１８に通されている。
ここで、以上説明したクーラーボックス１の効果について整理する。ただし、一部、ダブル記載もある。
【００３５】
・クーラーボックス１は、物品を収納する収納部１１を内側に有し、物品を収納部１１に出し入れする開口部１２を収納部１１の上端に有する発泡体製のボックス本体１０と、開口部１２を開閉する発泡体製の外蓋２０と、収納部１１の所定高さＨに取り付けられて、収納部１１を上段１１ａと下段１１ｂとに分割する内蓋３０とを備え、内蓋３０は、着脱自在な発泡体製の複数の仕切り３１によって構成されている。
【００３６】
これにより、クーラーボックス１全体が発泡体製なので、全体を軽く仕上げることができる。また、収納部１１は、内蓋３０を構成する複数の仕切り３１が所定高さＨに取り付けられることにより、この仕切り３１を境として上段１１ａと下段１１ｂとに分割されるので、クーラーボックス１を種々の形態で使用することができる。
【００３７】
例えば、複数の仕切り３１を所定高さＨに取り付けることにより、収納部１１を上段１１ａと下段１１ｂとに分けて、それぞれ異なるもの、例えば、外蓋２０を開けることで直ちにアクセスできる上段１１ａには、缶類の飲み物を収納し、下段１１ｂには必要時以外は、アクセスする必要のない肉類や野菜類等を収納することができる。
【００３８】
また、内蓋３０が複数の仕切り３１によって構成されているので、複数の仕切り３１のうちの何枚か（実施形態では、２枚の仕切り３１のうちの１枚）を所定高さＨから取り外すことにより、下段１１ｂに収納した物品を簡単に取り出すことができる。
【００３９】
また、複数の仕切り３１をすべて所定高さＨから取り外すことにより、収納部１１全体を上段１１ａ及び下段１１ｂに分割することなく、一体として使用することができる。
・複数の仕切り３１は、上面に、横向きに置いた円筒状の缶類の不要な動きを規制するスリット３３を有する。
【００４０】
これにより、例えば、クーラーボックス１を肩ベルト４０を介して、肩から吊るした場合でも、スリット３３により、横向きに置いた円筒状の缶類の不要な動きを防止することができる。
・外蓋２０は、上面に、所定高さＨから取り外した複数の仕切り３１を保持する凹状保持部２１を有している。
これにより、所定高さＨから取り外した複数の仕切り３１を、外蓋２０と一体に保持することができるため、仕切り３１のみを紛失することがない。
・ボックス本体１０は、底部１４、左側部１３ｃ、及び右側部１３ｄの外面に、肩に掛ける肩ベルト４０が係合する肩ベルト溝１７を有している。
これにより、全体が発泡体製で比較的弱いクーラーボックス１を、肩ベルト４０によって下方から支持することができる。
・ボックス本体１０は、前側部１３ａ及び後側部１３ｂの外面１３Ｂのうちの少なくとも一方が、平面視において外側に向かって凹状の曲面に形成されている。
これにより、肩ベルト４０によってクーラーボックス１を吊るしたときに、前側部１３ａ又は後側部１３ｂが人に当たりにくくすることができる。
【符号の説明】
【００４１】
１      クーラーボックス
１０    ボックス本体
１１    収納部
１１ａ  上段
１１ｂ  下段
１２    開口部
１３    側部
１３Ａ  内面
１３Ｂ  外面
１３ａ  前側部
１３ｂ  後側部
１３ｃ  左側部
１３ｄ  右側部
１４    底部
１７    肩ベルト溝
２０    外蓋
２１    凹状保持部
３０    内蓋
３１    仕切り
４０    肩ベルト
Ｈ      所定高さ
【図１】
2019218067.tif 000003
【図２】
2019218067.tif 000004
【図３】
2019218067.tif 000005
【図４】
2019218067.tif 000006
【図５】
2019218067.tif 000007
【図６】
2019218067.tif 000008
【図７】
2019218067.tif 000009
【図８】
2019218067.tif 000010
【図９】
2019218067.tif 000011
【図１０】
2019218067.tif 000012
【図１１】
2019218067.tif 000013
【図１２】
2019218067.tif 000014
【図１３】
2019218067.tif 000015
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
物品を収納する収納部を内側に有し、前記物品を前記収納部に出し入れする開口部を前記収納部の上端に有する発泡体製のボックス本体と、
前記開口部を開閉する発泡体製の外蓋と、
前記収納部の所定高さに取り付けられて、前記収納部を上段と下段とに分割する内蓋と、を備え、
前記内蓋は、着脱自在な発泡体製の複数の仕切りによって構成され、
前記複数の仕切りは、上面に、横向きに置いた円筒状の缶類の不要な動きを規制するスリットを有する、
ことを特徴とするクーラーボックス。
【請求項２】
前記外蓋は、上面に、前記所定高さから取り外した前記複数の仕切りを保持する凹状保持部を有する、
ことを特徴とする請求項１に記載のクーラーボックス。
【請求項３】
前記ボックス本体は、底部、左側部、及び右側部の外面に、肩に掛ける肩ベルトが係合する肩ベルト溝を有する、
ことを特徴とする請求項１又は２に記載のクーラーボックス。
【請求項４】
前記ボックス本体は、前側部及び後側部の外面のうちの少なくとも一方が、平面視において外側に向かって凹状の曲面に形成されている、
ことを特徴とする請求項１ないし３のいずれか１項に記載のクーラーボックス。
【手続補正２】
【補正対象書類名】明細書
【補正対象項目名】００１１
【補正方法】変更
【補正の内容】
【００１１】
上述の目的を達成するため、本発明は、クーラーボックスにおいて、物品を収納する収納部を内側に有し、前記物品を前記収納部に出し入れする開口部を前記収納部の上端に有する発泡体製のボックス本体と、前記開口部を開閉する発泡体製の外蓋と、前記収納部の所定高さに取り付けられて、前記収納部を上段と下段とに分割する内蓋と、を備え、前記内蓋は、着脱自在な発泡体製の複数の仕切りによって構成され、前記複数の仕切りは、上面に、横向きに置いた円筒状の缶類の不要な動きを規制するスリットを有する、ことを特徴とする。
【手続補正３】
【補正対象書類名】明細書
【補正対象項目名】００１４
【補正方法】変更
【補正の内容】
【００１４】
また、内蓋が複数の仕切りによって構成されているので、複数の仕切りのうちの何枚か（実施形態では、２枚の仕切りのうちの１枚）を所定高さから取り外すことにより、下段に収納した物品を簡単に取り出すことができる。
また、複数の仕切りをすべて所定高さから取り外すことにより、収納部全体を上段及び下段に分割することなく、一体化して使用することができる。
また、複数の仕切りは、上面に、横向きに置いた円筒状の缶類の不要な動きを規制するスリットを有するので、例えば、クーラーボックスを肩ベルトを介して、肩から吊るした場合でも、スリットにより、横向きに置いた円筒状の缶類の不要な動きを防止することができる。